(57)【要約】      （修正有）【課題】野球及びソフトボールのバッターボックス・キャッチャーボックスの公式競技区画線を小人数、短時間で作成するホームベースとメジャーを提供する。【解決手段】バッターボックス・キャッチャーボックスの各角に向けて放射状のラインを有するホームベースを形どった土台の中心軸を出発点としてメジャーをラインにそって引っ張り、バッターボックス・キャッチャーボックスの角２１〜３２を示すメジャーの穴の位置の地面に目印をつける。この作業をホームベース上の十二本のライン全てで行い十二カ所の目印を地面につけ、目印を白線で結ぶことによりバッターボックス・キャチャーボックスを作成する。【選択図】図４
0003222112.tif 000002
【実用新案登録請求の範囲】
【請求項１】
野球及びソフトボールの公式競技区画線のうちバッターボックス・キャッチャーボックスを作成するための治具であって、ホームベースを形どった土台の中心（公式野球規則によりホームベース五辺のうち上辺、投手板に対向する辺４３．２センチを一辺とする正方形の中心）にメジャーを設置するための軸を取り付けその中心軸を出発点として左右の前記バッターボックスの各角、前記キャッチャーボックスの各角に向けて放射状のラインを有することを特徴とするバッターボックス作成ホームベース。
【請求項２】
請求項１記載のホームベース上のラインにおいて、野球にあっては前記ホームベースの上辺、投手板に対向する辺の中央から左右におおよそ８センチの地点（３）、（７）から前記ホームベースの中心点を通過し、下辺（６）、（１０）までのラインと、前記ホームベース上辺、投手板に対向する辺の両端の角から側辺におおよそ９センチの地点（４）、（８）から前記ホームベースの中心点を通過し、下辺（５）、（９）までのラインと、前記ホームベースの最下部の角から左右におおよそ１２センチの地点（１１）、（１２）から前記ホームベースの中心点までのラインと、前記ホームベースの最下部の角から左右におおよそ５センチの地点（１３）、（１４）から前記ホームベースの中心点までのラインの、以上前記ホームベースの中心軸を出発点として１２本の放射状のラインを有する請求項１に記載のバッターボックス作成ホームベース。
【請求項３】
請求項１記載のホームベース上のラインにおいて、ソフトボールにあっては前記ホームベースの上辺、投手板に対向する辺の中央から左右におおよそ６センチの地点から前記ホームベースの中心点までのラインと、前記ホームベース上辺、投手板に対向する辺の両端の角から側辺におおよそ１センチの地点から前記ホームベースの中心点までのラインと、前記ホームベースの最下部の角から左右におおよそ１８センチの地点から前記ホームベースの中心点までのラインと、前記ホームベースの最下部の角から左右におおよそ９センチの地点から前記ホームベースの中心点までのラインと、前記ホームベースの最下部の角から左右におおよそ７センチの地点から前記ホームベースの中心点までのラインの、
以上前記ホームベースの中心軸を出発点として１０本の放射状のラインを有する請求項１又は２に記載のバッターボックス作成ホームベース。
【請求項４】
請求項１記載のメジャーはホームベースの土台の中心軸を出発点として、放射状のラインにそって前記バッターボックス・前記キャッチャーボックスの各角までの測定を行う、紐又は帯状（メジャー）のもので、前記バッターボックス・前記キャッチャーボックスの各角の位置に目印の穴があけてあることを特徴とするバッターボックス作成用のメジャー。
【請求項５】
請求項４記載のメジャーにおいて、野球にあっては前記バッターボックスの内側の角（２２）、（２３）、（２６）、（２７）に対して、おおよそ１００センチの位置に一カ所（１６）、前記バッターボックスの外側の角（２１）、（２４）、（２５）、（２８）に対して、おおよそ１８０センチの位置に一カ所（１７）、前記キャッチャーボックスの前方の角（２９）、（３０）に対して、おおよそ１１０センチの位置に一カ所（１８）前記キャッチャーボックスの後方の角（３１）（３２）に対して、おおよそ、２７０センチの位置に一か所（１９）の合計四カ所に穴をあけた請求項４に記載のバッターボックス作成用のメジャー。
【請求項６】
請求項４記載のメジャーにおいて、ソフトボールにあっては前記バッターボックス前方内側の角（３４）、（３５）に対して、おおよそ１３０センチの位置に一カ所、前記バッターボックス後方内側（３８）、（３９）に対して、おおよそ１００センチの位置に一カ所、前記バッターボックス前方外側の角（３３）、（３６）に対して、おおよそ１８０センチの位置に一カ所、前記バッターボックス後方外側の角（３７）、（４０）に対して、おおよそ１６０センチの位置に一カ所、前記キャッチャーボックスの後方の角（４１）、（４２）に対して、おおよそ４２０センチの位置に一カ所の合計五カ所に穴をあけた請求項４又は５記載のバッターボックス作成用のメジャー。
【考案の詳細な説明】
【技術分野】
【０００１】  本考案は、野球やソフトボールの競技区画線のうち、バッターボックスとキャッチャーボックスを作成するためのホームベースと専用メジャーに関するものである。
【背景技術】
【０００２】  従来、野球やソフトボールの公式競技を実施するにあたり、区画線を消石灰粉末などで引く必要があり、バッターボックスに関しては大型の巻尺などを用い、要所を一カ所ごとに計測しながら引いていたが、これには時間と人手、経験も必要とされる面倒な作業であったため、簡単に引くことができる器具の開発が望まれていた。、【０００３】  そこで、バッターボックスを作成するための器具として、例えば特許文献１又は２のように、金属製やシート製でバッターボックスの形枠を作り、その枠にそって白線を引く定規形式的な器具が提案されている。
【先行技術文献】
【特許文献】
【０００４】
【特許文献１】実登３０８８６４４号公報
【特許文献２】特開２００２−２４８１９３号公報
【考案の概要】
【考案が解決しようとする課題】
【０００５】  しかしながら、上述した特許文献１の器具による定規式のものは、バッターボックスの区画線が元々大きいものであり、枠自体が大きくなりそれが折りたたみ式であったとしても重量があり、保管移動が困難である、文献２のシート状のものも保管移動は容易であっても風など、天候の影響で使用困難の場合がある。【０００６】  本考案は上記実情に鑑みて提案するもので、短時間で経験も必要なく一人で、しかも軽量コンパクト、天候にも問題なく作成できるバッターボックス作成ホームベース及びメジャーを提供することを目的とする。
【課題を解決するための手段】
【０００７】  上記課題を解決するために請求項１の考案として、ホームベースを形どった土台の中心にメジャーを設置するための軸を取り付け、その中心軸を出発点として左右のバッターボックスの各角、キャッチャーボックスの各角に向けて放射状のラインを書き付けたことを特徴としている。【０００８】  請求項２の考案として、野球についてはホームベースを形どった土台の中心軸を出発点として左右のバッターボックスの各角、キャッチャーボックスの各角に向けて放射状のラインを１２本書き付けたことを特徴としている。【０００９】  請求項３の考案として、ソフトボールについてはバッターボックス・キャッチャーボッ  クスの形態が野球とは異なるため、放射状のラインを１０本書き付けたことを特徴とし  ている。【００１０】  請求項４の考案として、ホームベースを形どった土台の中心軸を出発点として放射状のラインにそって、バッターボックス・キャッチャーボックスの各角までの測定行う紐又は帯状（メジャー）のもので、バッターボックス・キャッチャーボックスの各角の位置に目印の穴があけてあることを特徴としている。【００１１】  請求項５の考案として、野球についてはホームベースの中心から見てバッターボックス・キャッチャーボックスは左右対称であるから、１２カ所の角のうち目印の穴に重複箇所がでてくる、よってメジャーの穴は４カ所となることを特徴としている。【００１２】  請求項６の考案として、ソフトボールについてはバッターボックス・キャッチャーボックスの形態が野球とは異なるため、メジャーの穴は５カ所となることを特徴としている。
【考案の効果】
【００１３】  本考案はバッターボックス・キャッチャーボックスの各角に向けて１２本の放射状のラインを有するホームベースを形どった土台と、５メートル程のメジャーを使用することで、短時間で経験も手間もかけず一人で、しかも軽量コンパクトとなり移動保管も容易とし、天候にも問題なくバッターボックス・キャッチャーボックスを作成するものである。
【図面の簡単な説明】
【００１４】
【図１】本考案の使用時の状態を示す平面図である。
【図２】ホームベース土台の平面図及び側面図である。
【図３】専用メジャーの平面図である。
【図４】野球のバッターボックス・キャッチャーボックスの完成図である。
【図５】ソフトボールのバッターボックス・キャッチャーボックスの完成図である。
【考案を実施するための形態】
【００１５】  本考案に係るバッターボックス作成ホームベース及びメジャーの実施の形態の一例について、図面を参照しながら説明する。
【００１６】  本考案のバッターボックス作成ホームベース及びメジャーは、野球及びソフトボール競技場においてバッターボックス・キャッチャーボックスを作成するための治具であり、ホームベース土台・ホームベース中心軸・専用メジャーによって構成されている。図１については使用時の状態を示すものであり、グランドに固定されたホームベースであれば、ホームベースを形どった土台（１）をその上に重ね、中心軸（２）にメジャー（１５）を設置し前記ホームベース土台上の放射状のラインにそって前記メジャーを引張り前記メジャーの穴（１６）の位置の地面（２０）に目印をつける。その作業を前記ホームベース土台のライン１２本（ソフトボールにあっては１０本）全てで行い地面に１２個の目印（ソフトボールにあっては１０個）を付けることとなる。目印を消石灰粉末などで結ぶことでバッターボックス・キャッチャーボックスを作成する。
【００１７】  前記ホームベースを形どった土台の材質については、何でもよいが前記メジャーでの測定時のずれ防止の観点から、実際の野球・ソフトボールの練習に使われるゴム製のものが理想である。
【００１８】  前記ホームベース土台の中心軸及び前記専用メジャーについては、それが固定式でも脱着式であってもバッターボックス・キャッチャーボックスを作成するうえで、なんら問題はない。
【００１９】  図２については、野球のホームベース土台の平面図であり、バッターボックス・キャッチャーボックスの各角に向けて放射状のライン１２本を有している。
【００２０】  ソフトボールについては、バッターボックス・キャッチャーボックスの形態が野球とは異なり、キャッチャーボックス前方の角（３７）、（４０）がバッターボックス後方外側の角と重なるため放射状のラインが１０本となる。
【００２１】  図３については、野球の専用メジャーの平面図であり、バッターボックス・キャッチャーボックスの各角の地面に目印を付けるための穴が４カ所あけてある。
【００２２】  ソフトボールについては、バッターボックス・キャッチャーボックスの形態が野球とは異なり、野球の右バッターボックス前方内側（２２）と左バッターボックス後方内側（２７）は穴の位置が同じであっても、ソフトボールの右バッターボックス前方内側（３４）と左バッターボックス後方内側（３９）は穴の位置が違う、よってバッターボックス前方内側（３４）、（３５）バッターボックス後方内側（３８）、（３９）バッターボックス前方外側（３３）、（３６）バッターボックス後方外側（３７）、（４０）キャッチャーボックス後方外側（４１）、（４２）の５カ所に目印を付けるための穴をあけることとなる。
【００２３】  前記メジャーについては、紐又は帯状のものであれば代用可能であるが、より正確なバッターボックス・キャッチャーボックスを作成するために、前記ホームベース上の放射状のラインに幅をもたせ、その幅と同幅のコンパクトに収納できる前記メジャーを使用することが理想である。メジャーの目盛りについては、とくに必要ではない。
【００２４】  図４については、野球のバッターボックス・キャッチャーボックス、図５についてはソフトボールのバッターボックス・キャッチャーボックスの完成図である。
【符号の説明】
【００２５】（１）、ホームベース土台                  （２）、中心軸
（３）、右バッターボックス内側上ライン    （４）、右バッターボックス外側上ライン
（５）、右バッターボックス外側下ライン    （６）、右バッターボックス内側下ライン
（７）、左バッターボックス内側上ライン    （８）、左バッターボックス外側上ライン
（９）、左バッターボックス外側下ライン    （１０）、左バッターボックス内側下ライン
（１１）、キャッチャーボックス右上ライン  （１２）、キャッチャーボックス左上ライン
（１３）、キャッチャーボックス右下ライン  （１４）、キャッチャーボックス左下ライン
（１５）、メジャー                        （１６）、左右バッターボックス内側上下穴
（１７）、左右バッターボックス外側上下穴  （１８）、キャッチャーボックス前方左右穴
（１９）、キャッチャーボックス後方左右穴  （２０）、地面目印
（２１）、右バッターボックス外側上角      （２２）、右バッターボックス内側上角
（２３）、左バッターボックス内側上角      （２４）、左バッターボックス外側上角
（２５）、右バッターボックス外側下角      （２６）、右バッターボックス内側下角
（２７）、左バッターボックス内側下角      （２８）、左バッターボックス外側下角
（２９）、キャッチャーボックス右上角      （３０）、キャッチャーボックス左上角
（３１）、キャッチャーボックス右下角      （３２）、キャッチャーボックス左下角
（３３）、右バッターボックス外側上角      （３４）、右バッターボックス内側上角
（３５）、左バッターボックス内側上角      （３６）、左バッターボックス外側上角
（３７）、右バッターボックス外側下角      （３８）、右バッターボックス内側下角
（３９）、左バッターボックス内側下角      （４０）、左バッターボックス外側下角
（４１）、キャッチャーボックス右下角      （４２）、キャッチャーボックス左下角
【図１】
0003222112.tif 000003
【図２】
0003222112.tif 000004
【図３】
0003222112.tif 000005
【図４】
0003222112.tif 000006
【図５】
0003222112.tif 000007